(57)【要約】【課題】リモコン内部のマイグレーションを検知することで、スイッチ等の誤動作による給湯機の誤動作を未然に防ぐことのできる安全性の高い給湯機用リモコン装置を提供する。【解決手段】電子部品を搭載した電子回路基板１４０と、電子回路基板１４０が収納されたケース１３０と、電子回路基板１４０に形成された一対のパターンを有し、当該パターン間の断線状態を監視することによりこのパターン間に発生するマイグレーションを検知する検知手段１４３と、マイグレーションが検知された場合に、給湯機の所定の動作に関する指令の入力を制限する制御手段１４４と、を備える。好ましくは、電子部品は給湯機から給湯端末へ供給される湯温の上昇指令を入力するためのタクトスイッチ１４２を含み、一対のパターンは、当該パターン間の距離がタクトスイッチ１４２の接点間距離よりも短くなるように形成されている。【選択図】図６
2012225627.tif 000002
【特許請求の範囲】
【請求項１】
給湯機の動作を制御するための指令を入力する給湯機用リモコン装置において、
電子部品を搭載した電子回路基板と、
前記電子回路基板が収納されたケースと、
前記電子回路基板に形成された一対のパターンを有し、前記一対のパターン間の断線状態を監視することにより当該パターン間に発生するマイグレーションを検知する検知手段と、
前記検知手段によりマイグレーションが検知された場合に、前記給湯機の所定の動作に関する前記指令の入力を制限する制御手段と、
を備えることを特徴とする給湯機用リモコン装置。
【請求項２】
前記電子部品は、前記給湯機から給湯端末へ供給される湯の温度の上昇指令を入力するためのタクトスイッチを含み、
前記一対のパターンは、当該パターン間の距離が前記タクトスイッチの接点間距離よりも短くなるように形成されていることを特徴とする請求項１記載の給湯機用リモコン装置。
【請求項３】
前記制御手段は、前記上昇指令の入力を禁止することを特徴とする請求項２記載の給湯機用リモコン装置。
【請求項４】
前記一対のパターンは、前記タクトスイッチよりも鉛直下方の領域に配置されていることを特徴とする請求項２または３の何れか１項に記載の給湯機用リモコン装置。
【請求項５】
前記電子回路基板と、前記ケースと、前記検知手段と、前記制御手段と、を有するリモコンを複数備え、
前記複数のリモコンのうちの何れかの前記検知手段によりマイグレーションが検知された場合に、当該マイグレーションが検知されたリモコン以外のリモコンにおける前記給湯機の所定の動作に関する前記指令の入力を許可する許可手段を更に備えることを特徴とする請求項１乃至４の何れか１項記載の給湯機用リモコン装置。
【発明の詳細な説明】
【技術分野】
【０００１】
本発明は、給湯機用リモコン装置に係り、特に浴室内に設置される給湯機用リモコン装置に関する。
【背景技術】
【０００２】
浴室内で使用される給湯機用リモコン装置において、以下の技術が提案されている。例えば、特許文献１に開示されている浴室機器の制御装置では、前面ケースと背面ケースとがパッキンを介在してネジにより固定されている。前面ケースと背面ケースとで形成されるケース内には電子回路部が備えられている。背面ケースは通気管を有している。通気管は浴室壁を貫通している。背面ケースの内側には防水性通気膜が接着されている。このような構成によれば、通気管から流入した空気は、防水性通気膜を通気してケース内に流入する。このため、通気管から侵入する浴室外対流空気に含まれる水分によってケース内部に結露が発生することが想定される。
【０００３】
そこで、上記装置における結露対策として通気管を気密に遮断することが考えられる。しかしながら、通気管が気密に遮断された場合、ケース内外温度差による差圧によってケース内部に収納されているスピーカのスピーカコーン紙に不具合が生じるおそれがある。
【０００４】
また、通気管から流入した空気をケース内で結露させ難くする方策として、特許文献２の様にケース内部にヒーターを設置し昇温することでケース内の結露を抑制するものがある。しかしながら、通気管外側環境が多湿の場合は、ケース内が結露してしまう課題が残る。
【先行技術文献】
【特許文献】
【０００５】
【特許文献１】特開平５−１０３３７３号公報
【特許文献２】特開２０１０−２２３５４９号公報
【発明の概要】
【発明が解決しようとする課題】
【０００６】
上記従来の装置の構成においては、設置環境によってはケース内部に結露が生じることを回避できないおそれがある。この場合、接点に銀メッキを使用する通常のタクトスイッチの電極間において、印加電圧と結露水分によりイオンマイグレーション（以下、単に「マイグレーション」とも称する）が発生することがある。スイッチの電極間でマイグレーションが発生すると、電極間が通電状態となりスイッチが押された状態となる誤動作が発生する。浴室リモコンのスイッチには、浴槽湯張り及び給湯温度設定スイッチが搭載されている。このため、これらのスイッチがマイグレーションにより誤動作すると、使用者が意図しない温度の湯が湯張り或いは給湯される可能性があり、改善が望まれていた。
【０００７】
この発明は、上述のような課題を解決するためになされたもので、リモコン内部のマイグレーションを検知することで、スイッチ等の誤動作による給湯機の誤動作を未然に防ぐことのできる安全性の高い給湯機用リモコン装置を提供することを目的とする。
【課題を解決するための手段】
【０００８】
本発明に係る給湯機用リモコン装置は、給湯機の動作を制御するための指令を入力する給湯機用リモコン装置において、電子部品を搭載した電子回路基板と、電子回路基板が収納されたケースと、電子回路基板に形成された一対のパターンを有し、一対のパターン間の断線状態を監視することにより当該パターン間に発生するマイグレーションを検知するマイグレーション検知手段と、マイグレーション検知手段によりマイグレーションが検知された場合に、給湯機の所定の動作に関する指令の入力を制限する制御手段と、を備えるものである。
【発明の効果】
【０００９】
本発明の給湯機用リモコン装置によれば、リモコン内部のマイグレーションを検知することで、スイッチ等の誤動作による給湯機の誤動作を未然に防ぐことのできる安全性の高い給湯機用リモコン装置を提供することができる。
【図面の簡単な説明】
【００１０】
【図１】本発明の実施の形態１に係る浴室用のリモコンの外観図である。
【図２】浴室リモコンの壁面への設置状態を示す図である。
【図３】図２におけるｂ−ｂ断面を示す断面図である。
【図４】図３におけるｃ部を拡大した断面詳細図である。
【図５】実施の形態１に係る制御基板回路の構成図である。
【図６】本実施の形態１において実行されるルーチンのフローチャートである。
【図７】複数のリモコンを備える給湯機のリモコン装置について説明するための図である。
【発明を実施するための形態】
【００１１】
以下、図面を参照して本発明の実施の形態について説明する。尚、この実施の形態により本発明が限定されるものではない。
【００１２】
実施の形態１．
図１は、本発明の実施の形態１に係る浴室用のリモコンの外観図である。図１に示すとおり、実施の形態１におけるリモコン１００は給湯機用のリモコン装置であって、給湯機の設定状態を表示するための表示部１１０と、詳細設定を行う操作パネル１２０と、を備えている。操作パネル１２０には、具体的には、湯張り時の湯温を設定するふろ温度設定スイッチ１２１およびシャワー等の給湯温度を設定する給湯設定スイッチ１２２等が配置されている。
【００１３】
図２は、浴室リモコンの壁面への設置状態を示す図であり、図３は、図２におけるｂ−ｂ断面を示す断面図であり、図４は、図３におけるｃ部を拡大した断面詳細図である。これらの図に示すとおり、リモコン１００は、ケース１３０で周囲を略密閉状態に覆われた状態で浴室壁１５０に取付けられており、その内部には、機器を制御するための制御基板１４０が配置されている。浴室壁１５０には、制御基板１４０に電源を供給するための電源線１４１及びリモコン１００内外の差圧を調節するために、ケース１３０の内部と壁裏空間１５１とを連通させるための通気孔１３１が配置されている。制御基板１４０には、操作パネル１２０に配置されたふろ温度設定スイッチ１２１や給湯設定スイッチ１２２等のスイッチ操作を電気信号として受け取るための接点式のタクトスイッチ１４２が各スイッチに対応して実装されている。タクトスイッチ１４２はその接点部に銀メッキを使用している。
【００１４】
図５は、実施の形態１に係る制御基板回路の構成図を示す。制御基板１４０は、リモコン１００外部より電源１４６により電力を受けている。本発明の主たる特徴として、制御基板１４０は検知手段１４３と制御手段１４４とを備えている。尚、検知手段１４３にも電源１４６より電圧が供給されている。
【００１５】
検知手段１４３は、基板本体上に形成された一対の検知用のパターンを有し、当該検知用パターンの断線状態を監視することにより、結露の影響によって当該検知用パターン間に発生するマイグレーションを検知する。検知用のパターンは銀により形成されており、パターン間の絶縁距離は、上述したタクトスイッチ１４２の接点間距離よりも短い距離に設定されている。このような検知用のパターンの構成によれば、ケース１３０内に結露が発生した場合に、タクトスイッチ１４２の接点間よりも先にマイグレーションが発生する。
【００１６】
制御手段１４４は、検知手段１４３でマイグレーション状態が検知された場合に、給湯機器動作の制限を行う。より具体的には、ふろ温度設定スイッチ１２１からの入力による湯張り時の湯温の高温側への設定変更や、給湯設定スイッチ１２２からの入力による給湯温度の高温側への設定変更の指令の実行を禁止する。また、表示手段１４５は、制御手段１４４にて機器動作の制限を行った内容を表示部１１０に表示する。
【００１７】
次に、図６を参照して、本実施の形態１の装置の制御動作に関して具体的に説明する。図６は、本実施の形態１において実行されるルーチンのフローチャートである。先ず、ステップＳ１では、検知手段１４３にてマイグレーション有無の検知が開始される。次に、ステップＳ２では、マイグレーションが検知されたか否かが判定される。その結果、マイグレーション検知が無い場合（ＮＯ）は、上記ステップＳ１に戻ってマイグレーション有無の検知を継続する。一方、ステップＳ２において、マイグレーションの検知があった場合（ＹＥＳ）は、操作パネル１２０より入力された入力信号を、制御手段１４４において制限する（ステップＳ３）。ここでは、具体的には、ふろ温度設定スイッチ１２１からの入力による湯張り時の湯温の高温側への設定変更や、給湯設定スイッチ１２２からの入力による給湯温度の高温側への設定変更に係る入力信号を制限する。また、ステップＳ４において、表示手段１４５にて表示部１１０にエラー表示または、制御手段１４４による入力信号の制限内容を表示する。
【００１８】
以上説明したとおり、本実施の形態の装置によれば、リモコン１００のケース１３０内が結露状態になってタクトスイッチ１４２の接点部がマイグレーションによる導通状態の誤動作を起こしたとしても、給湯およびふろの高温出湯を防ぐことができ安全性の高い給湯機を提供することができる。
【００１９】
尚、ケース１３０内の下方の空間ほど低温の空気が対流するため結露が生じ易い。そこで、本実施の形態１に係るリモコン装置においては、検知手段１４３をタクトスイッチ１４２よりも下方に配置することが好ましい。これにより、タクトスイッチ１４２が配置されている領域よりも結露が発生しやすい領域に検知用パターンを配置することができるので、より信頼性の高い結露によるマイグレーションの検知を行うことが可能となる。
【００２０】
また、上述した実施の形態１の給湯用リモコン装置では、１つのリモコン１００を備えるリモコン装置について説明したが、給湯用リモコン装置が複数のリモコン１００を備えることとしてもよい。図７は、複数のリモコンを備える給湯機のリモコン装置について説明するための図である。この図に示すとおり、給湯機２１０は、図示しないヒートポンプ等の加熱装置によって加熱された湯を貯湯するための貯湯タンク２００と、当該給湯機の動作を制御するための制御部２２０とを備えている。制御部２２０には、複数のリモコン１００（図では２つ）が接続されており、それぞれのリモコン１００の制御基板１４０に入力された給湯機２１０の動作指令が給湯機２１０の制御部２２０へ送られる。このような給湯用リモコン装置において、接続されているリモコン１００の１つがマイグレーションを検知して動作制限（ステップＳ３）が行われた場合、その他のリモコン１００では動作制限（ステップＳ３）をせず、操作パネル１２０への入力操作を可能とすることとしてもよい。これにより、安全性の高く且つ使い勝手を損なわない給湯機を提供することができる。
【００２１】
また、本実施の形態１のリモコン装置では、制御手段１４４の動作として、ふろ温度設定スイッチ１２１からの入力による湯張り時の湯温の高温側への設定変更の禁止／許可、および給湯設定スイッチ１２２からの入力による給湯温度の高温側への設定変更の禁止／許可の例を述べたが、例えば給湯機の他の動作である加熱手段による沸上げや貯湯運転、湯はりや追焚きなどの運転動作の許可／禁止に上記制御手段１４４の動作を適用してもよい。また、単に設定温度を高温側への変更を禁止するのみではなく、動作そのものを禁止したり、設定値を予め設定した初期値に強制的に変更させてもよい。また、使用者に対し、上述のような操作制限をしている旨をリモコンに表示して報知してもよい。これにより使用者の故障との誤認を防ぐことができる。
【符号の説明】
【００２２】
１００  リモコン
１２０  操作パネル
１２１  ふろ温度設定スイッチ
１２２  給湯設定スイッチ
１３０  ケース
１４０  制御基板
１４２  タクトスイッチ
１４３  検知手段
１４４  制御手段
【図１】
2012225627.tif 000003
【図２】
2012225627.tif 000004
【図３】
2012225627.tif 000005
【図４】
2012225627.tif 000006
【図５】
2012225627.tif 000007
【図６】
2012225627.tif 000008
【図７】
2012225627.tif 000009